(57)【要約】【課題】対向する梯子状の主脚の間に天板を掛け渡したタイプのものや、主脚を傾斜させてハ字形に対向させ、主脚の上部分に踏み板を設けたタイプの可搬式作業台、いずれのものにでも、また、単独で使用する場合、複数を組み合わせて使用する場合のいずれの場合でも、昇降側の開放面を簡単に開閉でき、既設の作業台への取り付けも容易で使い勝手のよいものにできる。【解決手段】主脚１の上部に天板２を設け、天板２への昇降面９を開放面に形成し、非昇降面側に補助手摺３などの突出部材を設けてある可搬式作業台に取り付ける手摺部材であって、前記手摺部材６をバー形状に形成し、この手摺部材６を天板２への昇降面９を開閉するように水平方向に回動自在に前記突出部材に取り付けた。【選択図】        図１
2005290763.tif 000002
【特許請求の範囲】
【請求項１】
主脚の上部に天板を設け、天板への昇降面を開放面に形成し、非昇降面側に手摺などの突出部材を設けてある可搬式作業台に取り付ける手摺部材であって、前記手摺部材をバー形状に形成し、この手摺部材を天板への昇降面を開閉するように水平方向に回動自在に前記突出部材に取り付けたことを特徴とする可搬式作業台の手摺部材。
【請求項２】
前記手摺部材は、非昇降面側に配設してある既存の手摺などの突出部分に取り付け可能な取付金具に固定される角度設定金具に回動自在に取り付けられることを特徴とする請求項１記載の可搬式作業台の手摺部材。
【請求項３】
前記角度設定金具は、手摺部材を所定の角度に固定できる係止ピンと異なる角度に形成した複数の切欠きとを備えることを特徴とする請求項１または請求項２に記載の可搬式作業台の手摺部材。
【発明の詳細な説明】
【技術分野】
【０００１】
本発明は、建設工事現場、建築物の天井や壁面などの内外装作業、電気配線作業などに使用する可搬式作業台に関するものである。
【背景技術】
【０００２】
かかる可搬式作業台には種々のタイプがあるが、例えば図１０に示すように対向する梯子状の主脚１の間に天板２を掛け渡したものがあり、このタイプのものは図１０のように単独での使用もできるが、図１１に示すように複数個を縦横方向に連結してステージとすることもできる。
【０００３】
このような可搬式作業台を使用する場合、天板２上で作業する際の転落を防止するため、天板２の長さ方向の側部には四角形の枠状の補助手摺３を取り付けている。しかし、天板２の妻側である主脚１からの昇降面側は、昇降の妨げになることから通常は手摺のような転落防止手段を特に設けることはしていない。
【０００４】
なお、図１２に示すようにステージとして使用する場合には、おおきな開放面が形成される妻側の端部には必要に応じて枠状の補助手摺２１，２２を取り付けることもある。この補助手摺２１は門型であり、補助手摺２２は正方形である。
【０００５】
また、図１３に示すように主脚１を傾斜させてハ字形に対向させ、主脚１の上部分に踏み板４を設けた可搬式作業台もあり、この可搬式作業台を２台、間隔をおいて対向させ、この間に天板２を配設して使用するものもある。
【０００６】
この図１３に示すようなタイプの可搬式作業台においても、天板２の長さ方向の側部からの転落を防止するために、この側に前記図１０、図１１に示したものと同様の四角形状の枠状の補助手摺３を設けることもあるが、かかる場合は、主脚１が傾斜しているため、主脚１と補助手摺３との間に隙間が生じ、この隙間からの転落のおそれがある。
【０００７】
そこで、図１３に示すタイプの可搬式作業台の場合は、四角形状の枠状の補助手摺３を使用せずに、主脚１の傾斜に対応させて側部の縦桟を斜めに取り付けた台形状の枠に形成した補助手摺２３を別途格別に用意し、これを取り付けている。
【０００８】
前記従来技術は当業者間で一般的に行われているものであり、文献公知発明にかかるものではない。
【発明の開示】
【発明が解決しようとする課題】
【０００９】
前記図１０、図１１に示すように昇降面側に手摺を取り付けない場合は当然のことながら転落の危険性が大きい。また、図１２のように開放面側に補助手摺２１，２２を取り付ければ転落を防止できるが、大きな開放面を塞ぐには、異なる２種類の補助手摺２１，２２を必要とし、しかもその取り付け作業には時間と手間を有する。このため、かかる補助手摺２１，２２を昇降面側の開放面にしようするのは困難である。
【００１０】
また、図１３のように格別の補助手摺２３を別途用意するのは、コスト高となり、在庫管理も容易ではない。
【００１１】
本発明の目的は前記従来例の不都合を解消し、対向する梯子状の主脚の間に天板を掛け渡したタイプのものや、主脚を傾斜させてハ字形に対向させ、主脚の上部分に踏み板を設けたタイプの可搬式作業台、いずれのものにでも、また、単独で使用する場合、複数を組み合わせて使用する場合のいずれの場合でも、昇降側の開放面を簡単に開閉でき、既設の作業台への取り付けも容易で使い勝手のよい可搬式作業台の手摺部材を提供することにある。
【課題を解決するための手段】
【００１２】
本発明は前記目的を達成するものとして、請求項１記載の発明は、主脚の上部に天板を設け、天板への昇降面を開放面に形成し、非昇降面側に手摺などの突出部材を設けてある可搬式作業台に取り付ける手摺部材であって、前記手摺部材をバー形状に形成し、この手摺部材を天板への昇降面を開閉するように水平方向に回動自在に前記突出部材に取り付けたことを要旨とするものである。
【００１３】
請求項２記載の発明は、前記手摺部材は、非昇降面側に配設してある既存の手摺などの突出部分に取り付け可能な取付金具に固定される角度設定金具に回動自在に取り付けられることを要旨とするものである。
【００１４】
請求項３記載の発明は、前記角度設定金具は、手摺部材を所定の角度に固定できる係止ピンと異なる角度に形成した複数の切欠きとを備えることを要旨とするものである。
【００１５】
請求項１記載の本発明によれば、既存の可搬式作業台に備わっている非昇降面側の手摺などの突出部材にバー形状の手摺部材が回動自在に取り付けられるから、これを回動するだけで昇降面を簡単に開閉でき、昇降面側からの転落などの危険を簡単な構造および操作で容易に回避できる。
【００１６】
請求項２記載の本発明によれば、手摺部材は、取付金具で既存の突出部材に簡単に取り付けられ、また、角度固定金具で簡単に取付角度を変更できるから、容易に昇降面を開閉できる。
【００１７】
請求項３記載の本発明によれば、異なる角度に形成した複数の切欠きのうちのいずれかを選択し、この切欠きに係止ピンを係止するだけの簡単な操作で手摺部材を所望の角度位置に固定できる。
【発明の効果】
【００１８】
以上述べたように本発明の可搬式作業台の手摺部材は、対向する梯子状の主脚の間に天板を掛け渡したタイプのものや、主脚を傾斜させてハ字形に対向させ、主脚１の上部分に踏み板を設けたタイプの可搬式作業台、いずれのものにでも、また、単独で使用する場合、複数を組み合わせて使用する場合のいずれの場合でも、突出部材に簡単に取り付けて昇降側の開放面を容易に開閉でき、開放面からの転落を防止し安全性の向上を図ることができ、既設の作業台への取り付けも容易で使い勝手のよいものである。
【発明を実施するための最良の形態】
【００１９】
以下、図面について本発明の実施形態を詳細に説明する。図１は本発明の可搬式作業台の手摺部材の実施形態を示す斜視図で、可搬式作業台の構造としては、間隔をおいて対向させて配置した梯子状の主脚１，１の間に天板２を掛け渡し、この天板２の長さ方向の側部には横桟３ａと縦桟３ｂの組み合わせによる長方形の枠状の補助手摺３を立設し、また、主脚１から天板２への昇降面側である天板２の妻側の両側には手掛け棒５を立設してある。
【００２０】
このような構造の可搬式作業台において、バー状の手摺部材６を前記補助手摺３の上部角部すなわち横桟３ａと縦桟３ｂとの交差部に水平方向に回動自在に取り付けた。バー状の手摺部材６の長さは、天板２の幅方向の長さ、すなわち主脚１から天板２への昇降面９の開口幅にほぼ等しく形成する。
【００２１】
この手摺部材６を開口面９に取り付ける手段は、補助手摺３の上部の角部を固定する取付金具８と、この取付金具８の上部に取り付ける角度設定金具７とで構成する。
【００２２】
角度設定金具７は、図３〜図６に示すように上下に、バー状の手摺部材６の幅にほぼ等しい幅の間隔をおいて配置した平面半円形状の角度設定板１０ａ，１０ｂを本体とし、この角度設定板１０ａ，１０ｂの円弧状部の周縁に９０度間隔で３個のスリット１１ａ，１１ｂ，１１ｃを形成する。
【００２３】
そして、上下の角度設定板１０ａ，１０ｂの間にバー状の手摺部材６の端部を水平方向に回動自在に挿入する。
【００２４】
また、角度設定板１０ａ，１０ｂの直線状部の側寄りに上下の角度設定板１０ａ，１０ｂの間に固定ピン１２を立設し、一方、手摺部材６に前記スリット１１ａ，１１ｂ，１１ｃに選択的に着脱自在に挿入する係止ピン１３を立設するとともに、前記固定ピン１２が上下方向に挿通する長孔１４を穿設し、固定ピン１２と係止ピン１３との間にバネ１５を弾装する。長孔１４の長さはスリット１１ａ〜１１ｃの長さとほぼ等しく形成する。
【００２５】
これにより、手摺部材６は、長孔１４の長さ分だけスライド自在で、かつ、固定ピン１２位置を中心軸として角度設定板１０ａ，１０ｂの円弧状部に沿って回動自在に角度設定金具７に取り付けられる。なお、図５に示す例では、９０度間隔で２個のスリット１１ａ，１１ｂを形成した。
【００２６】
取付金具８は図５〜図９に示すように補助手摺３の横桟３ａと縦桟３ｂに固定される本体部１６と、縦桟３ｂに固定される固定片１７とで構成し、本体部１６は図７〜図９に示すように横桟３ａの上面にかぶさるようにして係止するＬ字形のフック部１６ａと、その下方に連続して垂設されて縦桟３ｂの側部にはまり込むコ字形の係止部１６ｂとで構成する。
【００２７】
固定片１７は平面Ｌ字形に形成したもので、前記係止部１６ｂの一方の端部に外側に直角に突設した取付片１６ｃに回動自在に設けたもので、Ｌ字形の一方の片を縦桟３ｂと平行に配置し、この片が縦桟３ｂの側面に摺接する。
【００２８】
次に前記取付金具８と角度設定金具７を使用して手摺部材６を補助手摺３の上部角部に取り付ける方法を説明する。まず、取付金具８を補助手摺３に取り付けるが、係止部１６ｂを縦桟３ｂの側部にあてがい、フック部１６ａを横桟３ａの上面に被せ、この状態で固定片１７を縦桟３ｂの方向に回動してこれを縦桟３ｂの側部に摺接する。これにより、縦桟３ｂは固定片１７と係止部１６ｂとで両側から挟み込まれた状態となり、同時に上桟３ａはフック部１６ａで押えられた状態となって、取付金具８が補助手摺３に固定される。
【００２９】
かかる取付金具８の上に、手摺部材６を取り付けた角度設定金具７を固定する。これにより、手摺部材６が補助手摺３に１８０度回動自在に取り付けら、天板２への昇降面９に開閉自在に配置される。
【００３０】
そして、天板２の妻部側からの落下を防止するために、図１に示すように昇降面９を手摺部材６で閉塞したい場合は、図４において、中央位置のスリット１１ｂに係止ピン１３を挿入した状態とすれば、手摺部材６は補助手摺３と直交する方向（９０度の位置）に配置されて昇降面９が閉鎖される。
【００３１】
天板２への昇降時に、昇降面９を通過するには、手摺部材６を持ってこれをバネ１５の弾力に抗して長さ方向に引っ張れば、係止ピン１３がスリット１１ｂから抜ける。このとき、手摺部材６は長孔１４の長さ分外側に移動するから、手摺部材６に取り付けてある係止ピン１３もスリット１１ｂにそってその分だけ外側に移動する。
【００３２】
よって、手摺部材６を固定ピン１２を中心軸にしてスリット１１ａまたはスリット１１ｃの方向に回動し、バネ１５の弾力を利用して係止ピン１３をスリット１１ａまたはスリット１１ｃに挿入すれば、手摺部材６は補助手摺３に対して０度の位置または１８０度の位置に係止され、補助手摺３と平行にその内側に重合する状態となり、または、補助手摺３の外側延長上に配置される状態となって、昇降面９から除かれ、昇降面９が開放される。
【００３３】
このようにして天板２から主脚１に降りるには、手摺部材６を１８０度の位置に開き開放された昇降面９を通過した後は、前記と逆の操作で手摺部材６を回動すれば、手摺部材６を９０度の位置に戻すことができ昇降面９を再度閉じることができる。また、天板２に上るときは、手摺部材６を０度または１８０度の位置に回動して昇降面９を開放し、天板２に載ったならば手摺部材６を再度回動して９０度の位置に戻し、昇降面９を閉じて天板２からの脱落防止部材とする。
【００３４】
なお、スリットの形成部位は、前記のような９０度間隔に限定されるものではなく、任意の角度に設定可能である。
【００３５】
図２は、主脚１を傾斜させてハ字形に対向させ、主脚１の上部分に踏み板４を設けた可搬式作業台もあり、この可搬式作業台を２台、間隔をおいて対向させ、この間に天板２を配設して使用する場合に実施するもので、かかる場合は天板２の長さ方向の側部には図１の例で使用するものと同様の補助手摺３を取り付け、さらにこの補助手摺３に前記と同様にして取付固定８と角設定金具７とで手摺部材６を取り付ける。
【００３６】
この場合、主脚１が傾斜していることから、補助手摺３の端部と主脚１の上部との間には大きな隙間１８が生じるが、手摺部材６を補助手摺３に対して１８０度の位置に開いて配設することで、隙間１８の部分に手摺部材６が介在することになる。よって、この隙間１８からの墜落防止を図ることができる。
【図面の簡単な説明】
【００３７】
【図１】本発明の可搬式作業台の手摺部材の実施形態の一例を示す斜視図である。
【図２】本発明の可搬式作業台の手摺部材の実施形態の他の例を示す斜視図である。
【図３】本発明の可搬式作業台の手摺部材の実施形態を示す要部である角度設定金具の斜視図である。
【図４】本発明の可搬式作業台の手摺部材の実施形態を示す要部である角度設定金具の平面図である。
【図５】本発明の可搬式作業台の手摺部材の実施形態を示す要部である角度設定金具および取付金具の補助手摺への取付状態の説明図である。
【図６】本発明の可搬式作業台の手摺部材の実施形態を示す要部である角度設定金具および取付金具の補助手摺への取付状態の正面図である。
【図７】本発明の可搬式作業台の手摺部材の実施形態を示す要部である取付金具の斜視図である。
【図８】本発明の可搬式作業台の手摺部材の実施形態を示す要部である取付金具の補助手摺への取付状態の正面図である。
【図９】本発明の可搬式作業台の手摺部材の実施形態を示す要部である取付金具の補助手摺への取付状態の側面図である。
【図１０】従来の可搬式作業台の手摺部材の一例を示す斜視図である。
【図１１】従来の可搬式作業台の手摺部材の他の例を示す斜視図である。
【図１２】従来の可搬式作業台の手摺部材のさらに他の例を示す斜視図である。
【図１３】従来の踏板を備えてる複数の可搬式作業台の踏板間に天板を架設した場合の手摺部材の例を示す正面図である。
【符号の説明】
【００３８】
１  主脚                        ２  天板
３  補助手摺                    ３ａ  横桟
３ｂ  縦桟                      ４  踏み板
５  手掛け棒                    ６  手摺部材
７  角度設定金具                ８  取付金具
９  昇降面                      １０ａ，１０ｂ  角度設定板
１１ａ，１１ｂ，１１ｃ  スリット
１２  固定ピン                  １３  係止ピン
１４  長孔                      １５  バネ
１６  本体部                    １６ａ  フック部
１６ｂ  係止部                  １６ｃ  取付片
１７  固定片                    １８  隙間
２１，２２，２３  補助手摺
【図１】
2005290763.tif 000003
【図２】
2005290763.tif 000004
【図３】
2005290763.tif 000005
【図４】
2005290763.tif 000006
【図５】
2005290763.tif 000007
【図６】
2005290763.tif 000008
【図７】
2005290763.tif 000009
【図８】
2005290763.tif 000010
【図９】
2005290763.tif 000011
【図１０】
2005290763.tif 000012
【図１１】
2005290763.tif 000013
【図１２】
2005290763.tif 000014
【図１３】
2005290763.tif 000015
【手続補正書】
【提出日】平成16年4月6日(2004.4.6)
【手続補正１】
【補正対象書類名】図面
【補正対象項目名】図２
【補正方法】変更
【補正の内容】
【図２】
2005290763.tif 000016
【手続補正２】
【補正対象書類名】図面
【補正対象項目名】図１１
【補正方法】変更
【補正の内容】
【図１１】
2005290763.tif 000017
【手続補正３】
【補正対象書類名】図面
【補正対象項目名】図１２
【補正方法】変更
【補正の内容】
【図１２】
2005290763.tif 000018